【事件の表示】
　国際登録第８０２７７４号に係る国際商標登録出願の拒絶査定に対する審判事件について、次のとおり審決する。
【結論】
　本件審判の請求は、成り立たない。
【理由】
１　本願商標
　本願商標は、後掲（１）のとおり「ＤＢ　Ｓｉｇｎａｔｕｒｅ」の文字よりなり、第１４類「Ｐｒｅｃｉｏｕｓ　ｍｅｔａｌ　ａｎｄ　ｔｈｅｉｒ　ａｌｌｏｙｓ　ａｎｄ　ｇｏｏｄｓ　ｉｎ　ｐｒｅｃｉｏｕｓ　ｍｅｔａｌｓ　ｏｒ　ｃｏａｔｅｄ　ｔｈｅｒｅｗｉｔｈ　ｎｏｔ　ｉｎｃｌｕｄｅｄ　ｉｎ　ｏｔｈｅｒ　ｃｌａｓｓｅｓ；ｊｅｗｅｌｌｅｒｙ　ａｎｄ　ｉｍｉｔａｔｉｏｎ　ｊｅｗｅｌｌｅｒｙ，ｇｅｍｓｔｏｎｅｓ；ｐｒｅｃｉｏｕｓ　ｓｔｏｎｅｓ；ｓｅｍｉ−ｐｒｅｃｉｏｕｓ　ｓｔｏｎｅｓ；ｄｉａｍｏｎｄｓ；ｗａｔｃｈｅｓ，ｃｌｏｃｋｓ；ｈｏｒｏｌｏｇｉｃａｌ　ａｎｄ　ｃｈｒｏｎｏｍｅｔｒｉｃ　ｉｎｓｔｒｕｍｅｎｔｓ；ｐａｒｔｓ　ａｎｄ　ｆｉｔｔｉｎｇｓ　ｆｏｒ　ａｌｌ　ａｆｏｒｅｓａｉｄ　ｇｏｏｄｓ．」を指定商品として、２００２年１１月５日にＵｎｉｔｅｄ　Ｋｉｎｇｄｏｍにおいてした商標登録出願に基づいて、パリ条約第４条による優先権を主張し、２００３年（平成１５年）５月２日を国際登録の日とするものである。
２　原査定の引用商標
　原査定において、本願商標が商標法第４条第１項第１１号に該当するものであるとして引用した登録第９７１２１２号商標（以下「引用商標１」という。）は、「ＳＩＧＮＡＴＵＲＥ」の文字を書してなり、昭和４５年６月１６日に登録出願、第２６類に属する商標登録原簿に記載のとおりの商品を指定商品として、同４７年７月１０日に設定登録され、その後、同５８年１月２７日、平成６年４月２７日及び同１４年７月２３日の３回にわたって、商標権存続期間の更新登録がなされたものである。そして、その指定商品は、平成１４年１２月１１日に指定商品の書換登録がなされた結果、第６類「金属製彫刻」、第９類「映写フィルム，スライドフィルム，スライドフィルム用マウント，録画済みビデオディスク及びビデオテープ」、第１６類「印刷物，書画，写真，写真立て」、第１９類「石製彫刻，コンクリート製彫刻，大理石製彫刻」及び第２０類「額縁，石こう製彫刻，プラスチック製彫刻，木製彫刻」となっているものである。
　同じく、登録第４６５６７９０号商標（以下「引用商標２」という。）は、後掲（２）のとおり「ＭＫ　ＳＩＧＮＡＴＵＲＥ」の文字を書してなり、平成１３年１０月２２日に登録出願、第３類「おしろい，化粧水，クリーム，紅，頭髪用化粧品，香水類，アイシャドー，脂肪取り紙，ネイルエナメル，ネイルエナメル除光液，バスオイル，バスソルト，パック用化粧料，マスカラー，まゆ墨，毛髪脱色剤，その他の化粧品，つけづめ，つけまつ毛，つけまつ毛用接着剤，歯磨き，家庭用帯電防止剤，家庭用脱脂剤，洗濯用柔軟剤，洗濯用でんぷんのり，洗濯用漂白剤，洗濯用ふのり」を指定商品として、同１５年３月２８日に設定登録されたものである。
　同じく、登録第４６８５６５２号商標（以下「引用商標３」という。）は、後掲（３）のとおりの構成よりなり、平成１３年１０月２２日に登録出願、第３類「おしろい，化粧水，クリーム，紅，頭髪用化粧品，香水類，アイシャドー，脂肪取り紙，ネイルエナメル，ネイルエナメル除光液，バスオイル，バスソルト，パック用化粧料，マスカラー，まゆ墨，毛髪脱色剤，その他の化粧品，つけづめ，つけまつ毛，つけまつ毛用接着剤，歯磨き，家庭用帯電防止剤，家庭用脱脂剤，洗濯用柔軟剤，洗濯用でんぷんのり，洗濯用漂白剤，洗濯用ふのり」を指定商品として、同１５年６月２７日に設定登録されたものである。
　同じく、登録第４０６４３２４号商標（以下「引用商標４」という。）は、後掲（４）のとおり「ＳＩＧＮＡＴＵＲＥ　ＩＩ（審決注：本審決においては、ローマ数字の２を「ＩＩ」と表示する。以下同じ。）」の文字を書してなり、平成７年４月１４日に登録出願、第２０類「長いす，安楽いす，その他のいす類，その他の家具（寝台を除く。）」を指定商品として、同９年１０月３日に設定登録されたものである。
　同じく、登録第４３０７１８７号商標（以下「引用商標５」という。）は、「ＳＩＧＮＡＴＵＲＥ」と「シグニチュア」の文字を上下二段に横書きしてなり、平成９年１１月２８日に登録出願、第２１類「ガラス基礎製品（建築用のものを除く。），なべ類，コーヒー沸かし（電気式又は貴金属製のものを除く。），食器類（貴金属製のものを除く。），アイスペール，こし器，こしょう入れ，砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），シェーカー，タルト取り分け用へら，清掃用具及び洗濯用具，ガラス製又は陶磁製の包装用容器，ガラス製栓，ガラス製ふた，貯金箱（金属製のものを除く。），ろうそく消し及びろうそく立て（貴金属製のものを除く。），花瓶（貴金属製のものを除く。），香炉，水盤（貴金属製のものを除く。），風鈴」を指定商品として、同１１年８月２０日に設定登録されたものである。
３　当審の判断
　本願商標は、後掲（１）のとおりの構成からなるところ、その構成中の「ＤＢ」の文字部分と「Ｓｉｇｎａｔｕｒｅ」の文字部分との間には、一文字分程度の間隔が開けられており、視覚上、明瞭に、「ＤＢ」と「Ｓｉｇｎａｔｕｒｅ」とに分離して看取されるばかりでなく、「ＤＢ」の文字は、原審の拒絶査定が説示するように、他のアルファベット２文字と同様に、商品の規格・品番等を表示するための記号・符号の一類型として、本願指定商品を取り扱う業界にとどまらず、各種業界において広く一般的に採択・使用されているものである。そして、「ＤＢ」と「Ｓｉｇｎａｔｕｒｅ」の文字部分とを結合することにより、その構成全体をもって特定の親しまれた意味合いを理解・認識させるものともいい難く、また、本願商標を構成する「ＤＢ」及び「Ｓｉｇｎａｔｕｒｅ」の欧文字が、常に一体不可分のものとして、一般の取引者、需要者に知られているものと認めるに足りる証拠も見いだすことができないものである。
　そうすると、本願商標に接する取引者、需要者は、前半の「ＤＢ」の文字部分を、記号、符号として理解し、後半の「署名」等の意味を有する英語である「Ｓｉｇｎａｔｕｒｅ」の文字部分を自他商品の識別標識としての機能を果たす部分であると把握し、これより生ずる「シグニチュア」の称呼をもって取引に資する場合も決して少なくないものといわざるを得ない。
　他方、引用商標１及び引用商標５は、それぞれ構成は前記２のとおり、「ＳＩＧＮＡＴＵＲＥ」ないし「シグニチュア」の文字を横書きしてなるものである。
　また、引用商標２及び引用商標４は、「ＭＫ」と「ＳＩＧＮＡＴＵＲＥ」の欧文字、及び、「ＳＩＧＮＡＴＵＲＥ」の欧文字と数字「ＩＩ」を書してなるものであるところ、その構成全体をもって常に一体と見るべき親しまれた観念を有するものとは認められず、また、それぞれ、「ＭＫ」と「ＳＩＧＮＡＴＵＲＥ」、「ＳＩＧＮＡＴＵＲＥ」と「ＩＩ」との間には一文字程度の間隔を有するものである。そして、「ＭＫ」又は「ＩＩ」の部分は、記号、符号の一類型として理解されるものである。
　さらに、引用商標３は、筆記体風に特徴的に表した「ＳＩＧＮＡＴＵＲＥ」の欧文字と、その左上に小さく「ＭＫ」の欧文字を表してなるものである。
　そして、これらの引用商標１ないし引用商標５（以下「引用各商標」という。）はいずれも、その構成全体をもって常に一体と見るべき親しまれた観念を有するものとは認められず、また、それぞれ、構成態様から「ＳＩＧＮＡＴＵＲＥ」の部分は、独立して自他商品の識別機能を有するといえるものである。
　そうすると、引用各商標に接する取引者・需要者は、それぞれの構成中の「ＳＩＧＮＡＴＵＲＥ」又は「シグニチュア」の文字部分に着目して取引にあたる場合も少なくないと判断するのが相当であって、それぞれ、当該文字部分より、「シグニチュア」の称呼及び「署名」の観念をも生ずるものと認められる。
　してみれば、本願商標と引用各商標とは、それぞれから生ずる「シグニチュア」の称呼及び「署名」の観念を共通にする類似する商標と認められ、かつ、本願商標の指定商品は、引用各商標の指定商品と同一又は類似のものを含むものである。
　したがって、本願商標が商標法第４条第１項第１１号に該当するとした原査定は、妥当なものであって、これを取り消すべき限りでない。
　なお、請求人は、「ＤＢ」の文字は、世界的に著名なダイヤモンドの販売者である「デビアス（ＤｅＢｅｅｒｓ）」の略称であり、また、ファッション分野においては、ブランドのイニシャルと「Ｓｉｇｎａｔｕｒｅ」の文字とは密接不可分に用いられる例があるから、本願商標も「ＤＢ（デビアス）の署名」として常に一体のものと捉えるべきである旨述べるところがあるが、提出された甲第１４号証等を検討しても、我が国において「ＤＢ」の文字が、出願人の著名な略称として一般に知られていると直ちに認めることはできないものである。そして、商標の類否判断に当たっては、当該商標に接する取引者・需要者の認識を基準として、当該商標から生ずる自然な称呼、観念をもって判断すべきものであって、本願商標については、上記のとおり判断するのが相当であるから、請求人のこの主張は採用することができない。
　よって、結論のとおり審決する。